(57)【要約】  【課題】  簡易な構造で、組み立ての容易な安全注射器を提供する。  【解決手段】  中空の円筒体の前端端部を内径が徐々に狭まる突起孔部２１とし、後端縁部にはハンドル部２２を形成してなるシリンダ２と、前端縁部に弾性ピストン３１を設け、後端縁部に押圧部３２を形成し、該シリンダ内に挿入するプランジャ３と、注射針４１と、注射針を固定するニードル座４２と、ニードル座を螺着する連結筒４３とによって構成し、該シリンダの突起孔部内に嵌着して、該注射針をシリンダの外部に露出させるニードル部４と、該シリンダの突起孔部の外周面に冠着するニードルキャップ５とを含んでなり、該ニードル座の外周面にと該連結筒の内壁にはそれぞれ対応するネジ山を形成し、該連結筒の後端縁部にはフランジ状のベース部を形成し、該ベース部には、外周に沿って凹溝を形成してパッキングを嵌着し、該連結筒は内部空間に円錐状孔部を形成し、該円錐状孔部の内壁に円弧状の傾斜面を有する複数の係合部を形成し、かつ該ベース部の円錐状孔部の一方の側面には突起部を形成する。【選択図】  図１
0003107197.tif 000002
【実用新案登録請求の範囲】
【請求項１】
両端縁を開口状にした中空の円筒体であって、前端端部を内径が徐々に狭まる突起孔部とし、後端縁部にはハンドル部を形成してなるシリンダと、
前端縁部に弾性ピストンを設け、後端縁部に押圧部を一体に形成してなり、該シリンダ内に挿入するプランジャと、
注射針と、注射針を嵌挿して固定するためのニードル座と、ニードル座を螺着する連結筒とによって構成し、該シリンダの突起孔部内に嵌着して、該注射針をシリンダの外部に露出させるニードル部と、
該シリンダの突起孔部の外周面に冠着し、該ニードル座の注射針を覆うニードルキャップを含んでなる安全注射器であって、
該ニードル座の外周面には第１ネジ山を形成し、該連結筒の内壁には、該第１ネジ山に対応する第２ネジ山を形成して該ニードル座と、該連結筒との螺着に供し、
該連結筒の後端縁部にはフランジ状のベース部を形成し、該ベース部には、外周に沿って凹溝を形成して弾性を有するパッキングを該凹溝に嵌着し、
該連結筒は、外周にベース部を形成する位置の内部空間に一端の内径が内方向に狭まる円錐状孔部を形成し、該円錐状孔部の内壁に円弧状の傾斜面を有する複数の係合部を形成して該円錐状孔部の範囲を制限し、かつ該ベース部の円錐状孔部の一方の側面には突起部を形成することを特徴とする安全注射器。
【請求項２】
前記円錐状孔部が該連結筒のベース部の中央の位置に形成され、該注射針と該ニードル座が該連結筒に対応して設けられることを特徴とする請求項１に記載の安全注射器。
【請求項３】
前記円錐状孔部が該連結筒のベース部の中央の位置に形成され、該連結筒上に別途貫通孔を形成し、該貫通孔に該注射針とニードル座とを嵌着し、一方の側面に偏った位置に設けることを特徴とする請求項１に記載の安全注射器。
【請求項４】
前記係合部は、該円錐状孔部の周囲に傾斜角度が等しい円弧状の係合部を３つ形成することを特徴とする請求項１に記載の安全注射器。
【請求項５】
前記係合部は、該円錐状孔部の周囲に傾斜角度が等しい円弧状の係合部を４つ形成することを特徴とする請求項１に記載の安全注射器。
【請求項６】
前記係合部は、該円錐状孔部の周囲に傾斜角度が等しい円弧状の係合部を６つ形成することを特徴とする請求項１に記載の安全注射器。
【請求項７】
前記連結筒のベース部に近い表面には、やや厚みを有し、該シリンダの突起孔部の内壁に当接する少なくとも２以上の複数のリブを等間隔で形成することを特徴とする請求項１に記載の安全注射器。
【考案の詳細な説明】
【技術分野】
【０００１】
この考案は注射器に関し、特に、使用後注射針を含むニードルセットがシリンダ内への収納を可能にした安全注射器に関する。
【背景技術】
【０００２】
注射器は、医療にかかる作業において、欠かすことのできない器具である。目下、注射器は血液性の感染をする病気の伝染を防ぐために、使い捨てタイプのものを使用している。  
但し、使い捨てタイプの注射器は、適切な処理をしないと、医療関係者、もしくは回収をする人が間違って針を自身に刺してしまうことがある。このため、病気に感染する恐れもある、よって、使用後の注射器の注射針をどのように露出させないで、自己防衛するかが注射器構造の開発の課題となっている。
【０００３】
現在、市場には、使用後注射針を安全に処理する構造の注射器が販売されている。かかる構造は、注射針をシリンダ内に収納することができるが、構造が複雑で、生産の過程における組み立て工程も容易ではない。しかも、機能上の欠点を容易に露呈して本来の機能が失われ易い。
一部のものは金属製の弾性部材を内部に使用しているが、かかる構造は該金属製の弾性部材に錆が発生すると、人体に注射を行う場合、細菌の感染などの弊害が発生する。
したがって、従来の技術に見られるこれら欠点を如何にして改善するかが、開発の課題となっている。
【考案の開示】
【考案が解決しようとする課題】
【０００４】
この考案は、使用後に注射針を確実にシリンダ内に収納することによって安全性の得られる注射器であって、構造が簡易で、組み立て作業の容易な安全注射器を提供することを課題とする。
【課題を解決するための手段】
【０００５】
そこで、本考案者は従来の技術に見られる欠点に鑑み鋭意研究を重ねた結果、シリンダと、前端縁部に弾性ピストンを設けたプランジャと、注射針と、注射針を嵌挿して固定するためのニードル座と、ニードル座を螺着する連結筒とによって構成するニードル部と、該シリンダの突起孔部の外周面に冠着し、該ニードル座の注射針を覆うニードルキャップとを含んでなり、該連結筒の後端縁部にはフランジ状のベース部を形成し、かつ該連結筒は、外周にベース部を形成する位置の内部空間に一端の内径が内方向に狭まる円錐状孔部を形成し、かつ該円錐状孔部の内壁に円弧状の傾斜面を有する複数の係合部を形成し、さらに該ベース部の円錐状孔部の一方の側面には突起部を形成してなる安全注射器の構造によって課題を解決できる点に着眼し、かかる知見に基づいて本発明を完成させた。
以下、この考案について具体的に説明する。
【０００６】
請求項１に記載する安全注射器は、両端縁を開口状にした中空の円筒体であって、前端端部を内径が徐々に狭まる突起孔部とし、後端縁部にはハンドル部を形成してなるシリンダと、前端縁部に弾性ピストンを設け、後端縁部に押圧部を一体に形成してなり、該シリンダ内に挿入するプランジャと、注射針と、注射針を嵌挿して固定するためのニードル座と、ニードル座を螺着する連結筒とによって構成し、該シリンダの突起孔部内に嵌着して、該注射針をシリンダの外部に露出させるニードル部と、該シリンダの突起孔部の外周面に冠着し、該ニードル座の注射針を覆うニードルキャップとを含んでなる安全注射器であって、該ニードル座の外周面には第１ネジ山を形成し、該連結筒の内壁には、該第１ネジ山に対応する第２ネジ山を形成して該ニードル座と、該連結筒との螺着に供し、該連結筒の後端縁部にはフランジ状のベース部を形成し、該ベース部には、外周に沿って凹溝を形成して弾性を有するパッキングを該凹溝に嵌着し、該連結筒は、外周にベース部を形成する位置の内部空間に一端の内径が内方向に狭まる円錐状孔部を形成し、該円錐状孔部の内壁に円弧状の傾斜面を有する複数の係合部を形成して該円錐状孔部の範囲を制限し、かつ該ベース部の円錐状孔部の一方の側面には突起部を形成する。
【０００７】
請求項２に記載する安全注射器は、請求項１における円錐状孔部が該連結筒のベース部の中央の位置に形成され、該注射針と該ニードル座が該連結筒に対応して設けられる。
【０００８】
請求項３に記載する安全注射器は、請求項１における円錐状孔部が該連結筒のベース部の中央の位置に形成され、該連結筒上に別途貫通孔を形成し、該貫通孔に該注射針とニードル座とを嵌着し、一方の側面に偏った位置に設ける。
【０００９】
請求項４に記載する安全注射器は、請求項１における係合が、該円錐状孔部の周囲に傾斜角度が等しい円弧状の係合部であって、これを３つ形成することを特徴とする請求項１に記載の安全注射器。
【００１０】
請求項５に記載する安全注射器は、請求項１における係合部が、該円錐状孔部の周囲に傾斜角度が等しい円弧状の係合部であって、これを４つ形成する。
【００１１】
請求項６に記載する安全注射器は、請求項１における係合部が、該円錐状孔部の周囲に傾斜角度が等しい円弧状の係合部であって、これを６つ形成する。
【００１２】
請求項７に記載する安全注射器は、請求項１における連結筒のベース部に近い表面に、やや厚みを有し、該シリンダの突起孔部の内壁に当接する少なくとも２以上の複数のリブを等間隔で形成する。
【考案の効果】
【００１３】
本考案の安全注射器は、使用後注射器の注射針を確実にシリンダ内に収納できるとともに、構造が簡易で製造が容易であり、強いては製品の品質を確保し、製造コストを節減するという利点がある。
【考案を実施するための最良の形態】
【００１４】
この考案による安全注射器は、注射針をシリンダの中央の位置に設ける中央式注射器であって、以下、添付図面を参照してこの考案の好適な実施の形態を詳細に説明する。
【実施例１】
【００１５】
図１は、この考案による安全注射器に係る第１実施例を示す分解斜視図で、図中安全注射器１は、注射針４１をシリンダ２の中央の位置に設ける中央式注射器であって、シリンダ２と、プランジャ３と、ニードル部４と、ニードルキャップ５とによって注射器１を構成している。
【００１６】
前記注射器１を組み立てる場合は、先ずニードル部４とプランジャ３とを連結する連結筒４３をシリンダ２内に嵌挿し、該連結筒４３とシリンダ２前端縁部の内壁と密着させ、所定の干渉応力を発生させる。次に、注射針４１を設けてなるニードル座４２にニードルキャップ５を冠着し、該連結筒４３の前端に螺着する。
【００１７】
ニードルキャップ５をニードル座４２に冠着することによって、応力が発生する。さらに、使用者がニードルキャップ５の外側に力を加えると、プランジャ３が若干引戻される。このプランジャ３を引戻す力はニードルキャップ５をニードル座４２に冠着して発生する応力よりも小さく、プランジャ３を連結筒４３から離脱させて、近距離で接触する状態にすることができる。この状態で、ニードルキャップ５を取り外して注射液を抽出して、注射を行う。注射を行った後、プランジャ３をシリンダ２内に挿入して、シリンダ２の前端縁部に至らせ、連結部４３に嵌合させることによって、注射針４１を設けたニードル座４２を引戻してシリンダ２内に収納することができる。
【００１８】
図２に開示するように、シリンダ２は両端縁を開口状にした中空の円筒体であって、前端端部は、内径が徐々に狭まる突起孔部２１とし、後端縁部にはハンドル部２２を形成する、
【００１９】
図３に開示するように、シリンダ２内に挿入するプランジャ３は、前端縁部に弾性ピストン３１を設ける。 弾性ピストン３１は、シリンダ３の内壁に密着して摺動して前方に移動する。
【００２０】
また、弾性ピストン３１の中央の位置には一端が円錐状に形成された凸柱３３を設ける。さらに、プランジャ３の後端縁部には押圧部３２を一体に形成する。
【００２１】
図４Ａから図４Ｃに開示するように、ニードル部４は、注射針４１と、注射針４１を嵌挿して固定するためのニードル座４２と、ニードル座４２を螺着する連結筒４３とによって構成する。ニードル座４２は、シリンダ２の突起孔部２１内に嵌着して、注射針４１をシリンダ２の外部に露出させる。
【００２２】
図４Ａ，４Ｂに開示するように、ニードル座４２の外周面には第１ネジ山４４を形成し、連結筒４３の内壁には、該第１ネジ山４４に対応する第２ネジ山４５を形成してニードル座４２と、連結筒４３との螺着に供する。
また、図４Ａ，４Ｂに開示するように連結筒４３の後端縁部にはフランジ状のベース部４６を形成する。該ベース部４６には、外周に沿って凹溝４７を形成して弾性を有するパッキング４８を該凹溝４７に嵌着する。よって、該ベース部４６は、シリンダ２の突起孔部２１の内壁に密着することができる。
【００２３】
また、図４Ｃに開示するように連結筒４３は、外周にベース部４６を形成する位置の内部空間の一端に内径が内方向に狭まる円錐状孔部４９を形成する。該円錐状孔部４９の内壁に円弧状の傾斜面を有する複数の係合部５０を形成する。係合部５０は外方向から内方向に傾斜した角度有する部分を形成して円錐状孔部４９の範囲を制限する。また、ベース部４６の円錐状孔部４９の一方の側面には突起部４０を形成する。
【００２４】
また、図４Ａに開示するように該円錐状孔部４９は連結筒４３のベース部４６の中央の位置に形成され、注射針４１とニードル座４２は連結筒４３の注射液経路と円錐状孔部４９とを結ぶ線に対応して設けられ、注射針４１が中央に位置する中央式の注射液経路を形成する。
【００２５】
図５Ａから図５Ｃに開示するように、注射器１を用いて注射を行う場合、使用者はプランジャ３を前方に押し出して極限の位置に至るまで移動させると、円錐状に形成された凸柱３３が連結筒４３の円錐状孔部４９内に嵌着し、係合部５０に係止する。よって該凸柱３３が円錐状孔部４９内に固定されて離脱しなくなり、ニードル部４とプランジャ３とが連結した状態になる。次いで、プランジャ３２を引戻すと、ニードル部４はシリンダ２の突起孔部２１からシリンダ２内に移動する。ニードル部４全体がシリンダ２内に引き込まれると、連結筒４３に形成した突起部４０がプランジャ３の弾性ピストン３１に当接し、弾性ピストン３１の付勢力によってニードル部２が自動的に傾斜した状態になる。よって、注射針４１がシリンダ２の内壁に当止してニードル部４がシリンダ３の外部に露出しなくなる。
【実施例２】
【００２６】
図６から図１０Ｃに第２実施例を開示する。
即ち、注射針をシリンダの一方の側面に近い適宜な位置に設けた側式注射器に応用した実施例形態である。この場合、円錐状孔部４９は、同様に連結筒４３のベース部４６の中央の位置に形成する。但し、図９Ａに開示するように、連結筒４３上に別途注射針４１とニードル座２を設ける方向に沿って貫通孔５１を形成する点において異なる。該貫通孔５１は、一方の側面に偏って設けられ円錐状孔部４９から離れて形成されて側式の注射液流通経路を形成する。その他の部分は上述する第１実施例と同様であるので、図面においては同一の図番を付して開示する。
【００２７】
また、いずれの実施例でも、係合部５０は傾斜が等しい４つの係合部５０を等間隔で形成するが、好ましくは傾斜角度が９０°の円弧状にする。但し、実際の必要、材質の特性、もしくはサイズなどによって、異なる数の係合部５０を形成してもよい。例えば、図４Ｄ，９Ｄに開示するように傾斜角度が１２０°の円弧状にした係合部を３つ形成してもよく、また傾斜角度が６０°の円弧状にした係合部５０を６つ形成してもよい。
【００２８】
この考案による安全注射器は、連結筒４３のシリンダ２を連結した場合の摩擦係数を増大させるために、連結筒４３のベース部４６に近い表面に複数のリブ４３１を形成する。該リブ４３１はやや厚みを有し、連結筒４３のベース部４６に近接した適宜な位置に形成され、連結筒４３がシリンダ２の突起孔部２１内に圧入する場合、該リブ４３１は突起孔部２１０内壁に当接して、連結筒４３とシリンダ２の突起孔部２１の内壁との結合応力を増加させる作用を有する。この場合、注射針４１のニードル座４２はシリンダ２の前端部に螺着して連結筒４３に固定される。リブ４３１は螺着する場合連結筒４３が同一方向に回転してニードル座４２と連結筒４３が緊密に螺着できなくなったり、螺着が不確実になったりして、注射する操作に影響を与える現象を防ぐ作用を有する。
【００２９】
以上はこの考案の好ましい実施例であって、この考案の実施の範囲を限定するものではない。よって、当業者のなし得る修正、もしくは変更であって、この考案の精神の下においてなされ、この考案に対して均等の効果を有するものは、いずれも本考案の実用新案登録請求の範囲に属するものとする。
【図面の簡単な説明】
【００３０】
【符号の説明】
【００３１】
１  安全注射器
２  シリンダ
３  プランジャ
３１  弾性ピストン
３３  凸柱
４  ニードル部
４１  注射針
４２  ニードル座
４３  連結筒
４６  ベース部
４９  円錐状孔部
５    ニードルキャップ
【図１】
0003107197.tif 000003
【図２】
0003107197.tif 000004
【図３】
0003107197.tif 000005
【図４Ａ】
0003107197.tif 000006
【図４Ｂ】
0003107197.tif 000007
【図４Ｃ】
0003107197.tif 000008
【図４Ｄ】
0003107197.tif 000009
【図５Ａ】
0003107197.tif 000010
【図５Ｂ】
0003107197.tif 000011
【図５Ｃ】
0003107197.tif 000012
【図６】
0003107197.tif 000013
【図７】
0003107197.tif 000014
【図８】
0003107197.tif 000015
【図９Ａ】
0003107197.tif 000016
【図９Ｂ】
0003107197.tif 000017
【図９Ｃ】
0003107197.tif 000018
【図９Ｄ】
0003107197.tif 000019
【図１０Ａ】
0003107197.tif 000020
【図１０Ｂ】
0003107197.tif 000021
【図１０Ｃ】
0003107197.tif 000022
【手続補正書】
【提出日】平成16年9月9日(2004.9.9)
【手続補正１】
【補正対象書類名】明細書
【補正対象項目名】００３０
【補正方法】変更
【補正の内容】
【００３０】
【図１】この考案による安全注射器に係る第１実施例を示す分解斜視図、
【図２】この考案による安全注射器に係る第１実施例のシリンダの断面図、
【図３】この考案による安全注射器に係る第１実施例のプランジャの一部断面説明図、
【図４Ａ】この考案による安全注射器に係る第１実施例のニードル部の断面図、
【図４Ｂ】図４Ａの分解断面図、
【図４Ｃ】図４Ａの底面図、
【図４Ｄ】この考案による安全注射器に係るニードル部のそれぞれ異なる変形例による底面図、
【図５Ａ】この考案による安全注射器に係る第１実施例の使用状態を示す断面図、
【図５Ｂ】この考案による安全注射器に係る第１実施例の使用状態を示す断面図、
【図５Ｃ】この考案による安全注射器に係る第１実施例の使用状態を示す断面図、
【図６】この考案による安全注射器に係る第２実施例を示す分解斜視図、
【図７】この考案による安全注射器に係る第２実施例のシリンダの断面図、
【図８】この考案による安全注射器に係る第２実施例のプランジャの一部断面説明図、
【図９Ａ】この考案による安全注射器に係る第２実施例のニードル部の断面図、
【図９Ｂ】図９Ａの分解断面図、
【図９Ｃ】図９Ａの底面図、
【図９Ｄ】この考案による安全注射器に係るニードル部のそれぞれ異なる変形例による底面図、
【図１０Ａ】この考案による安全注射器に係る第２実施例の使用状態を示す断面図、
【図１０Ｂ】この考案による安全注射器に係る第２実施例の使用状態を示す断面図、
【図１０Ｃ】この考案による安全注射器に係る第２実施例の使用状態を示す断面図である。